(57)【要約】【課題】印刷用画像が使用禁止規制に基づく所定の基準を満たしているか否かを印刷前にユーザに容易に把握させることが可能な印刷用画像判定システム、印刷用画像判定方法、及び印刷用画像判定プログラムを提供する。【解決手段】印刷用画像判定システムは、印刷装置において印刷される印刷用画像を含む画像データが入力された場合、入力された前記画像データに含まれる前記印刷用画像が規制に基づく所定の基準を満たしているか否かを判定し、判定結果を出力する制御装置と、前記制御装置による判定結果を表示する表示装置とを備える。【選択図】図１
2019186838.tif 000002
【特許請求の範囲】
【請求項１】
印刷装置において印刷される印刷用画像を含む画像データが入力された場合、入力された前記画像データに含まれる前記印刷用画像が使用禁止規制に基づく所定の基準を満たしているか否かを判定し、判定結果を出力する制御装置と、
前記制御装置から出力される前記判定結果を表示する表示装置と
を備える印刷用画像判定システム。
【請求項２】
前記使用禁止規制に基づく所定の基準は、色である
請求項１に記載の印刷用画像判定システム。
【請求項３】
前記使用禁止規制に基づく所定の基準は、前記色に加えて当該色が付された領域の面積である
請求項２に記載の印刷用画像判定システム。
【請求項４】
前記制御装置は、前記印刷用画像が前記使用禁止規制に基づく所定の基準としての規制対象色を含むか否かを判定し、前記印刷用画像が前記規制対象色を含むと判定する場合、前記規制対象色が付された領域についての前記印刷用画像全体に対する面積比率が所定の面積基準を満たすか否かを判定し、前記面積比率が前記所定の面積基準を満たさない場合に、前記印刷用画像が前記所定の基準を満たしていないと判定する
請求項１から請求項３のいずれか一項に記載の印刷用画像判定システム。
【請求項５】
前記制御装置は、前記印刷用画像が前記所定の基準を満たしていないと判定する場合、前記規制対象色が付された領域を他の領域に対して強調した状態で前記表示装置に表示する
請求項４に記載の印刷用画像判定システム。
【請求項６】
前記制御装置は、前記印刷用画像が前記所定の基準を満たしていないと判定する場合、前記規制対象色が付された前記領域に対して前記規制対象色とは異なる色の候補を前記表示装置に表示する
請求項４又は請求項５に記載の印刷用画像判定システム。
【請求項７】
印刷装置において印刷される印刷用画像を含む画像データが入力された場合、入力された前記画像データに含まれる前記印刷用画像が使用禁止規制に基づく所定の基準を満たしているか否かを判定することと、
判定結果を表示装置に表示させることと
を含む印刷用画像判定方法。
【請求項８】
印刷装置において印刷される印刷用画像を含む画像データが入力された場合、入力された前記画像データに含まれる前記印刷用画像が使用禁止規制に基づく所定の基準を満たしているか否かを判定する処理をコンピュータに行わせる
印刷用画像判定プログラム。
【発明の詳細な説明】
【技術分野】
【０００１】
本発明は、印刷用画像判定システム、印刷用画像判定方法、及び印刷用画像判定プログラムに関する。
【背景技術】
【０００２】
メディアに対して印刷を行う印刷装置として、例えばヘッドからメディアに液滴を噴射するインクジェット型の印刷装置が知られている（例えば、特許文献１参照）。このような印刷装置を用いて、例えば看板等に画像を形成することが可能である。
【先行技術文献】
【特許文献】
【０００３】
【特許文献１】特開２０１５−１３４５５号公報
【発明の概要】
【発明が解決しようとする課題】
【０００４】
近年、例えば景観条例のように、地域によっては、看板等に表示する画像に所定の色を一定の面積比率以上使用することが禁止される場合がある。看板に画像を形成した後に、このような規制対象色が画像に用いられていると判明した場合、規制対象色とは異なる色を用いて看板に画像を形成し直す必要がある。そこで、印刷用画像がこのような使用禁止規制に基づく基準を満たしているか否かを、印刷前に把握可能な技術が求められている。
【０００５】
本発明は、上記に鑑みてなされたものであり、印刷用画像が使用禁止規制に基づく所定の基準を満たしているか否かを印刷前にユーザに容易に把握させることが可能な印刷用画像判定システム、印刷用画像判定方法、及び印刷用画像判定プログラムを提供することを目的とする。
【課題を解決するための手段】
【０００６】
本発明に係る印刷用画像判定システムは、印刷装置において印刷される印刷用画像を含む画像データが入力された場合、入力された前記画像データに含まれる前記印刷用画像が使用禁止規制に基づく所定の基準を満たしているか否かを判定し、判定結果を出力する制御装置と、前記制御装置から出力される前記判定結果を表示する表示装置とを備える。
【０００７】
本発明によれば、印刷用画像が規制に基づく所定の基準を満たしているか否かを制御装置において判定し、判定結果が表示装置に表示されるため、表示装置に表示される判定結果を確認することで、印刷用画像が規制に基づく所定の基準を満たしているか否か印刷前に容易に把握することが可能となる。
【０００８】
また、上記の印刷用画像判定システムにおいて、前記使用禁止規制に基づく所定の基準は、色であってもよい。
【０００９】
これにより、使用禁止規制により使用する色が規制される場合、印刷用画像が当該規制を満たしているか否かを容易に判定することができる。
【００１０】
また、上記の印刷用画像判定システムにおいて、前記使用禁止規制に基づく所定の基準は、前記色に加えて当該色が付された領域の面積である。
【００１１】
これにより、使用禁止規制により色及び面積が規制される場合、印刷用画像が当該規制を満たしているか否かを容易に判定することができる。
【００１２】
また、上記の印刷用画像判定システムにおいて、前記制御装置は、前記印刷用画像が前記使用禁止規制に基づく所定の基準としての規制対象色を含むか否かを判定し、前記印刷用画像が前記規制対象色を含むと判定する場合、前記規制対象色が付された領域についての前記印刷用画像全体に対する面積比率が所定の面積基準を満たすか否かを判定し、前記面積比率が前記所定の面積基準を満たさない場合に、前記印刷用画像が前記所定の基準を満たしていないと判定する。
【００１３】
これにより、印刷用画像の色と当該色が付された領域の面積とに基づいて、印刷用画像が所定の基準を満たしているか否かを判定することができる。これにより、例えば景観条例により使用が禁止される色等の規制対象色及び当該規制対象色が使用される面積比率等が規制されている場合、印刷用画像が当該規制を満たしているか否かを容易に判定することができる。
【００１４】
また、上記の印刷用画像判定システムにおいて、前記制御装置は、前記印刷用画像が前記所定の基準を満たしていないと判定する場合、前記規制対象色が付された領域を他の領域に対して強調した状態で前記表示装置に表示する。
【００１５】
これにより、印刷用画像のうち所定の基準を満たしていないと判定された領域を容易に把握することができる。
【００１６】
また、上記の印刷用画像判定システムにおいて、前記制御装置は、前記印刷用画像が前記所定の基準を満たしていないと判定する場合、前記規制対象色が付された前記領域に対して前記規制対象色とは異なる色の候補を前記表示装置に表示する。
【００１７】
これにより、ユーザは、印刷用画像のうち規制対象色が付されていると判定された領域について、色の変更等を容易に行うことができる。
【００１８】
本発明に係る印刷用画像判定方法は、印刷装置において印刷される印刷用画像を含む画像データが入力された場合、入力された前記画像データに含まれる前記印刷用画像が使用禁止規制に基づく所定の基準を満たしているか否かを判定することと、判定結果を表示装置に表示させることとを含む。
【００１９】
また、本発明に係る印刷用画像判定プログラムは、印刷装置において印刷される印刷用画像を含む画像データが入力された場合、入力された前記画像データに含まれる前記印刷用画像が使用禁止規制に基づく所定の基準を満たしているか否かを判定する処理とをコンピュータに行わせる。
【００２０】
これらの発明によれば、印刷用画像が規制に基づく所定の基準を満たしているか否かを判定し、判定結果を表示装置に表示させることが可能となるため、例えば表示装置に表示される判定結果をユーザに確認させることで、印刷用画像が規制に基づく所定の基準を満たしているか否か印刷前に容易に把握させることが可能となる。
【発明の効果】
【００２１】
本発明によれば、印刷用画像が使用禁止規制に基づく所定の基準を満たしているか否かを印刷前にユーザに容易に把握させることが可能な印刷用画像判定システム、印刷用画像判定方法、及び印刷用画像判定プログラムを提供することができる。
【図面の簡単な説明】
【００２２】
【図１】図１は、本実施形態に係る印刷用画像判定システムの一例を示す図である。
【図２】図２は、制御装置の構成例を示すブロック図である。
【図３】図３は、制御部による判定結果を表示する場合の表示画面の一例を示す図である。
【図４】図４は、図３に示す判定結果ウィンドウにおいて、操作ボタン表示部の追加ボタンを選択した場合に表示される画面の一例を示す図である。
【図５】図５は、図４に示す基準データ設定ウィンドウにおいて、個別設定選択部により、色相ごとに個別に彩度を設定する場合に表示される画面の一例を示す図である。
【図６】図６は、本実施形態に係る印刷用画像判定方法の一例を示すフローチャートである。
【図７】図７は、判定ステップの一例を示すフローチャートである。
【図８】図８は、色の候補をユーザに選択させる場合の表示画面の一例を示す図である。
【発明を実施するための形態】
【００２３】
以下、本発明に係る印刷用画像判定システム、印刷用画像判定方法、及び印刷用画像判定プログラムの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００２４】
図１は、本実施形態に係る印刷用画像判定システム（以下、判定システムと表記する）ＳＹＳの一例を示す図である。図１に示すように、判定システムＳＹＳは、制御装置１０と、入力装置２０と、表示装置３０とを備える。なお、入力装置２０は、制御装置１０に対して情報を入力可能である。本実施形態では、入力装置２０として、例えばキーボード２１及びマウス２２が設けられる構成を例に挙げているが、これに限定されず、タッチパネル等の他の入力装置が設けられてもよい。また、表示装置３０としては、例えば液晶ディスプレイ等の表示装置が用いられるが、他の表示装置が用いられてもよい。
【００２５】
制御装置１０は、印刷装置Ｐに接続され、当該印刷装置Ｐに印刷用画像を含む画像データを送信する。印刷用画像を含む画像データは、ユーザにより予め作成された状態である。図２は、制御装置１０の構成例を示すブロック図である。図２に示すように、制御装置１０は、制御部１１及び記憶部１２を有する。
【００２６】
記憶部１２は、表色系データ記憶部１６と、基準データ記憶部１７とを有する。表色系データ記憶部１６は、表色系毎の色データが記憶される。表色系としては、例えばＣＭＹＫ表色系、ＲＧＢ表色系、Ｌａｂ表色系、ＸＹＺ表色系、マンセル表色系等の表色系について、表色系毎の色データが記憶される。
【００２７】
基準データ記憶部１７は、印刷用画像についての、使用禁止規制に基づく所定の基準に関する項目が基準データとして記憶される。例えば、景観条例のように、地域によっては看板等に表示する画像に用いることが禁止される色（色相、明度、彩度）が規定されている場合がある。また、このような規制対象色を画像全体に対する所定の面積比率以下であれば使用してもよいが、所定の面積比率を超えて使用することが禁止される場合がある。
【００２８】
プログラム記憶部１８には、印刷装置Ｐにおいて印刷される印刷用画像を含む画像データが制御装置１０に入力された場合、入力された画像データに含まれる印刷用画像が使用禁止規制に基づく所定の基準を満たしているか否かを判定する処理を制御装置１０に行わせる印刷用画像判定プログラムが記憶される。なお、プログラム記憶部１８には、印刷用画像判定プログラムによって判定された判定結果を表示装置３０に表示させるための表示プログラムが記憶されてもよい。また、印刷用画像判定プログラムは、当該表示プログラムを含むものであってもよい。
【００２９】
本実施形態では、上記のような使用禁止規制に基づく所定の基準を基準データとして予め記憶部１２に記憶させておく。そして、印刷用画像を含む画像データが制御装置１０に入力された場合、制御部１１は、画像データと基準データとを比較することにより、画像データに含まれる印刷用画像が所定の基準を満たすか否かを判定する。制御部１１は、表色系調整部１３と、色判定部１４と、面積判定部１５とを有する。
【００３０】
表色系調整部１３は、基準データにおける色の表色系と、印刷装置Ｐにおけるインクの色の表色系とが異なる場合、一方の表色系を他方の表色系に変換する。例えば、上記のような景観条例では、マンセル表色系に基づいて規制対象となる色（規制対象色）が設定される。一方、本実施形態のような印刷装置Ｐでは、例えばＣＭＹＫ表色系又はＲＧＢ表色系に基づいてインクの色が設定される。そこで、本実施形態において、表色系調整部１３は、印刷装置Ｐの表色系をマンセル表色系に変換する。
【００３１】
この場合、表色系調整部１３は、ＣＭＹＫ表色系又はＲＧＢ表色系で設定されるインクの色を、まずＬａｂ表色系の色に変換する。その後、Ｌａｂ表色系に変換した色をＸＹＺ表色系の色に変換する。そして、ＸＹＺ表色系に変換した色をマンセル表色系の色に変換する。表色系調整部１３は、表色系を変換処理する際、記憶部１２の表色系データ記憶部１６に記憶される表色系データを用いる。このように、ＣＭＹＫ表色系又はＲＧＢ表色系で設定されるインクの色を順次変換することで、インクの色に対応するマンセル表色系の色を高精度に求めることが可能となる。
【００３２】
色判定部１４は、マンセル表色系に変換した印刷用画像が規制対象色を含むか否かを判定する。この場合、規制対象色としては、景観条例等で使用が禁止又は規制される色などが挙げられる。このような規制対象色は、基準データ記憶部１７に基準データとして記憶される。色判定部１４は、マンセル表色系に変換した印刷用画像の各画素の色と、基準データの規制対象色とを比較し、両者が同一色であるか否かを判定する。色判定部１４は、両者が同一色であると判定した場合、印刷用画像が規制対象色を含むと判定する。また、色判定部１４は、両者が同一色ではないと判定した場合、印刷用画像の各画素の色が規制対象色に近似する色か否かを判定する。
【００３３】
色判定部１４は、印刷用画像の各画素の色と、基準データの規制対象色とを比較する場合、例えば色相及び彩度に基づいて比較することができる。例えば、景観条例によっては、所定の色相における彩度が一定以上である色を規制対象色とする等、規制対象色において彩度に幅が設けられる場合がある。このような場合、色判定部１４は、比較する両者の色相及び彩度が共に同一又は範囲内であった場合、同一色であると判定する。
【００３４】
面積判定部１５は、印刷用画像が規制対象色を含むと判定する場合、当該規制対象色が付された領域についての印刷用画像全体に対する面積比率が所定の面積基準を満たすか否かを判定する。この場合、面積判定部１５は、規制対象色と判定された画素数を求め、印刷用画像の全画素に対する比率を算出する。面積判定部１５は、算出結果と基準データの面積基準値とを比較することにより、面積比率が所定の面積基準値を満たすか否かを判定することができる。例えば、景観条例において、所定の面積比率を超えて規制対象色を使用することが禁止される場合、面積判定部１５は、算出結果が面積基準値以下の場合には、面積比率が所定の面積基準を満たすと判定する。一方、算出結果が面積基準値を超える場合には、面積判定部１５は、面積比率が所定の面積基準を満たさないと判定する。
【００３５】
制御部１１は、面積判定部１５により面積比率が所定の面積基準を満たさないと判定される場合に、印刷用画像が所定の基準を満たしていないと判定する。制御部１１は、判定結果を出力する。
【００３６】
表示装置３０は、制御装置１０から出力される判定結果を表示する。図３は、制御部１１による判定結果を表示する場合の表示画面の一例を示す図である。図３に示すように、制御部１１は、判定を行った後、判定結果ウィンドウ４０を表示装置３０に表示させる。判定結果ウィンドウ４０は、画像表示部４１と、対象地域表示部４２と、操作ボタン表示部４３と、色情報表示部４４と、全体情報表示部４５と、確認ボタン表示部４６とを有している。
【００３７】
画像表示部４１は、印刷用画像ＩＭを表示する。対象地域表示部４２は、判定を行った判定地域の名称が表示される。地域ごとに景観条例が異なるが、本実施形態では、地域毎に対応する判定結果が表示される。
【００３８】
操作ボタン表示部４３は、対象地域表示部４２に表示される地域について、基準データの追加、変更、削除等を行う場合に用いる。操作ボタン表示部４３は、当該地域に設定される基準データを追加する追加ボタン４３ａと、当該地域に設定される基準データを変更する変更ボタン４３ｂと、当該地域に設定される基準データを削除する削除ボタン４３ｃとを表示する。
【００３９】
操作ボタン表示部４３に表示される追加ボタン４３ａ、変更ボタン４３ｂ、及び削除ボタン４３ｃは、例えば入力装置２０としてマウス２２が用いられる場合には、マウスカーソルを合わせてクリックすることで選択される。また、入力装置２０としてタッチパネルが用いられる場合には、対象領域にタッチすることで選択される。
【００４０】
色情報表示部４４は、印刷用画像に含まれる色のうち、色判定部１４によって規制対象色と判定された色についての各種情報が表示される。色情報表示部４４には、例えば、印刷用画像ＩＭのうち規制対象色と同一である又は近似すると判定された領域（以下、対象領域ＩＭａと表記する）の色を示す対象色データ４４ａと、制御部１１に入力された印刷用画像のうち対象領域ＩＭａの色を変換前の表色系（ＣＭＹＫ表色系又はＲＧＢ表色系）の数値で表す変換前表色系データ４４ｂと、マンセル表色系に変換した後の対象領域ＩＭａの色を数値で示す変換後表色系データ４４ｃと、対象領域ＩＭａが印刷用画像ＩＭの全体に占める面積比率を示す面積比率データ４４ｄと、対象領域ＩＭａについての規制内容データ４４ｅと、が表示される。
【００４１】
図３に示す例では、対象領域ＩＭａが印刷用画像ＩＭの全体の５０％の面積比率を有し、対象領域ＩＭａの色が赤色であり、使用禁止規制における規制対象色が赤色であり、面積基準が５０％以上である場合を例に挙げている。この場合、地域Ａでは、赤色の領域が全体の５０％以上の面積比率を有する印刷用画像を看板等に印刷して掲げる場合、当該看板は規制の対象となる。
【００４２】
このような例において、判定結果ウィンドウ４０には、変換前表色系データ４４ｂ及び変換後表色系データ４４ｃとして、赤色を示す数値（「Ｃ０、Ｍ１００、Ｙ１００、Ｋ０」「４  Ｒ４／１４」）が表示される。また、面積比率データ４４ｄには、対象領域ＩＭａの面積比率が５０％であることが表示される。また、規制内容データ４４ｅには、禁止色である旨が表示される。
【００４３】
なお、色情報表示部４４には、制御部１１は、印刷用画像が所定の基準を満たしていないと判定する場合、規制対象色とは異なる色の候補を表示してもよい。この場合、制御部１１は、基準データ記憶部１７に記憶される色のうち規制対象色とは異なる色を抽出して表示させる。抽出対象となる色については、例えば色相が同一で彩度が規制対象外となるような色などが挙げられるが、これに限定されない。
【００４４】
また、判定結果ウィンドウ４０において、色情報表示部４４の下側には、強調表示選択部４４ｆが設けられる。強調表示選択部４４ｆは、色情報表示部４４に表示された色を含む対象領域ＩＭａを、他の領域に対して強調表示するか否かの選択を行う。例えば、強調表示選択部４４ｆにチェックを入れることにより、対象領域ＩＭａが他の領域に対して強調表示される。この場合、他の領域に対する強調表示については、他の領域とは異なる態様で表示することを含む。例えば、対象領域ＩＭａを点滅させること、対象領域ＩＭａの輪郭を太く又は濃く表示させること、対象領域ＩＭａの色を他の領域とは異なるように表示させること等の表示形態を含む。
【００４５】
全体情報表示部４５は、色に関する情報以外の情報、例えば対象領域ＩＭａの面積比率等に関する情報が表示される。なお、全体情報表示部４５には、色、面積比率以外の情報が表示されてもよい。確認ボタン表示部４６は、確認ボタンが表示される。確認ボタンを選択することにより、判定結果ウィンドウ４０を閉じることができる。
【００４６】
図４は、図３に示す判定結果ウィンドウ４０において、操作ボタン表示部４３の追加ボタン４３ａを選択した場合に表示される画面の一例を示す図である。図４に示すように、追加ボタン４３ａが選択された場合、制御部１１は、地域ごとの基準データを設定するための基準データ設定ウィンドウ５０を表示装置３０に表示させる。
【００４７】
基準データ設定ウィンドウ５０は、規制種類選択部５１、５２、５３を有する。規制種類選択部５１は、規制対象色を設定するか否かについて選択する。規制種類選択部５１にチェックを入れることにより、規制対象色及び面積比率を設定可能となる。規制種類選択部５１では、規制対象色設定部５４において、規制対象色の彩度及び色相を設定可能である。規制対象色の彩度については、例えば彩度設定部５４ａに数値を入力することで設定可能である。規制対象色の色相については、色相設定部５４ｂにより色相を追加、変更、削除することで設定可能である。
【００４８】
また、個別設定選択部５４ｃにより、色相ごとに個別に彩度を設定可能である。図５は、図４に示す基準データ設定ウィンドウ５０において、個別設定選択部５４ｃにより、色相ごとに個別に彩度を設定する場合に表示される画面の一例を示す図である。図５に示すように、個別設定選択部５４ｃの追加ボタンが選択された場合、個別設定ウィンドウ６０が表示される。個別設定ウィンドウ６０は、色相選択部６１と、彩度入力部６２と、操作ボタン６３とを有する。色相選択部６１は、複数の候補の中から設定する色相を選択可能である。彩度入力部６２は、設定する彩度を入力する。操作ボタン６３は、追加ボタン６３ａとキャンセルボタン６３ｂとを有する。色相選択部６１において色相を選択し、彩度入力部６２において彩度を入力した状態で追加ボタン６３ａを選択した場合、選択した色相及び入力した彩度が規制対象色の基準データとして追加される。キャンセルボタン６３ｂは、色相選択部６１における選択内容及び彩度入力部６２における入力内容をキャンセルする。このように設定した彩度及び色相の設定結果については、例えば図４に示す設定結果表示部５４ｄに表示される。また、面積比率については、面積比率設定部５５により設定可能である。面積比率設定部５５は、設定選択部５５ａにチェックを入れ、面積比率入力部５５ｂに数値を入力することで設定可能である。
【００４９】
また、図４に示すように、規制種類選択部５２は、禁止色を設定するか否かについて選択する。禁止色は、印刷用画像ＩＭに含まれる場合、面積比率に関わらず規制の対象となる規制対象色である。禁止色は、規制種類選択部５２にチェックを入れることにより設定可能となる。規制種類選択部５２では、禁止色設定部５６において、禁止色の彩度及び色相を設定可能である。禁止色の彩度については、例えば彩度設定部５６ａに数値を入力することで設定可能である。禁止色の色相については、色相設定部５６ｂにより色相を追加、変更、削除することで設定可能である。また、規制対象色と同様に、個別設定選択部５６ｃにより、色相ごとに個別に彩度を設定可能である。彩度及び色相の設定結果については、例えば設定結果表示部５６ｄに表示される。
【００５０】
規制種類選択部５３は、規制対象として写真、絵画等のラスターデータを含めるか否かを設定する。地域によっては、ラスターデータが規制の対象となる場合がある。ラスターデータは、規制種類選択部５３にチェックを入れることにより、規制の対象とすることが可能となる。この場合、制御部１１は、印刷用画像ＩＭがラスターデータ特有のデータ形式であるか否かを判定することで、印刷用画像ＩＭがラスターデータであるか否かを判定してもよい。また、記憶部１２にラスターデータの画像データを記憶させておき、制御部１１が印刷用画像ＩＭと記憶部１２の画像データとを比較することで、印刷用画像ＩＭがラスターデータであるか否かを判定してもよい。
【００５１】
図６は、本実施形態に係る印刷用画像判定方法の一例を示すフローチャートである。図６に示すように、ユーザが印刷用画像ＩＭを含む画像データを作成し、制御装置１０に入力する動作を行うことで、画像データが制御装置１０に入力される（ステップＳ１０）。画像データが入力された場合、制御部１１は、入力された画像データに含まれる印刷用画像ＩＭが使用禁止規制に基づく所定の基準を満たしているか否かを判定する（ステップＳ２０）。ステップＳ２０において、制御部１１は、印刷用画像ＩＭと基準データとを比較することにより、印刷用画像ＩＭが所定の基準を満たしているか否かを判定する。
【００５２】
図７は、判定ステップＳ２０の一例を示すフローチャートである。図７に示すように、表色系調整部１３は、入力された画像データに含まれる印刷用画像ＩＭの表色系が基準データとして設定される規制対象色の表色系と一致するか否かを判定し、異なる場合、印刷用画像ＩＭの表色系を規制対象色の表色系に変換する（ステップＳ２１）。ステップＳ２１において、表色系調整部１３は、印刷用画像ＩＭのＣＭＹＫ表色系又はＲＧＢ表色系を、規制対象色のマンセル表色系に変換する。
【００５３】
表色系が変換された後、色判定部１４は、表色系を変換した後の印刷用画像ＩＭの色が所定の基準を満たすか否かを判定する（ステップＳ２２）。ステップＳ２２において、色判定部１４は、表色系を変換した後の印刷用画像の各画素の色と、基準データの規制対象色とを比較し、両者が同一色（又は類似色）であるか否かを判定する。色判定部１４は、両者が同一色（又は類似色）ではない場合、表色系を変換した後の印刷用画像ＩＭの色が所定の基準を満たすと判定する。色判定部１４は、両者が同一色（又は類似色）である場合、表色系を変換した後の印刷用画像ＩＭの色が所定の基準を満たさないと判定する。
【００５４】
ステップＳ２２において、表色系を変換した後の印刷用画像ＩＭの色が所定の基準を満たさないと判定された場合（ステップＳ２２のＮｏ）、面積判定部１５は、規制対象色が付された対象領域ＩＭａについての印刷用画像ＩＭの全体に対する面積比率が所定の面積基準を満たすか否かを判定する（ステップＳ２３）。ステップＳ２３において、面積判定部１５は、規制対象色と判定された画素数を求め、印刷用画像ＩＭの全画素に対する比率を算出する。面積判定部１５は、算出結果と基準データの面積基準値とを比較することにより、面積比率が所定の面積基準値を満たすか否かを判定する。
【００５５】
ステップＳ２２において表色系を変換した後の印刷用画像ＩＭの色が所定の基準を満たすと判定された場合（ステップＳ２２のＹｅｓ）、又はステップＳ２３において規制対象色が付された対象領域ＩＭａについての印刷用画像ＩＭの全体に対する面積比率が所定の面積基準を満たすと判定された場合（ステップＳ２３のＹｅｓ）、制御部１１は、入力された画像データに含まれる印刷用画像ＩＭが使用禁止規制に基づく所定の基準を満たしていると判定する（ステップＳ２４、ステップＳ２０のＹｅｓ）。
【００５６】
一方、ステップＳ２３において規制対象色が付された対象領域ＩＭａについての印刷用画像ＩＭの全体に対する面積比率が所定の面積基準を満たさないと判定された場合（ステップＳ２３のＮｏ）、制御部１１は、入力された画像データに含まれる印刷用画像ＩＭが使用禁止規制に基づく所定の基準を満たしていないと判定する（ステップＳ２５、ステップＳ２０のＮｏ）。
【００５７】
ステップＳ２０において所定の基準を満たしていると判定した場合（ステップＳ２４、ステップＳ２０のＹｅｓ）、図６に示すように、制御部１１は、基準を満たしている旨を表示装置３０に表示させる（ステップＳ３０）。ステップＳ３０において、制御部１１は、例えば図３に示す判定結果ウィンドウ４０の全体情報表示部４５において、印刷用画像ＩＭが基準を満たしている旨を表示させる。
【００５８】
また、ステップＳ２０において所定の基準を満たしていないと判定した場合（ステップＳ２５、ステップＳ２０のＮｏ）、制御部１１は、基準を満たしていない旨を表示装置３０に表示させる（ステップＳ４０）。ステップＳ４０において、制御部１１は、例えば図３に示す判定結果ウィンドウ４０の色情報表示部４４に対象領域ＩＭａの色に関する情報等を表示させる。
【００５９】
以上のように、本実施形態に係る印刷用画像判定システムＳＹＳは、印刷装置Ｐにおいて印刷される印刷用画像ＩＭを含む画像データが入力された場合、入力された画像データに含まれる印刷用画像ＩＭが使用禁止規制に基づく所定の基準を満たしているか否かを判定し、判定結果を出力する制御装置１０と、制御装置１０から出力される判定結果を表示する表示装置３０とを備える。
【００６０】
また、本実施形態に係る印刷用画像判定方法は、印刷装置Ｐにおいて印刷される印刷用画像ＩＭを含む画像データが入力された場合、入力された画像データに含まれる印刷用画像ＩＭが使用禁止規制に基づく所定の基準を満たしているか否かを判定することと、判定結果を表示装置３０に表示させることとを含む。
【００６１】
また、本実施形態に係る印刷用画像判定プログラムは、印刷装置Ｐにおいて印刷される印刷用画像ＩＭを含む画像データが入力された場合、入力された画像データに含まれる印刷用画像ＩＭが使用禁止規制に基づく所定の基準を満たしているか否かを判定する処理をコンピュータに行わせる。
【００６２】
本発明によれば、印刷用画像ＩＭが規制に基づく所定の基準を満たしているか否かを制御装置１０において判定し、判定結果が表示装置３０に表示されるため、表示装置３０に表示される判定結果を確認することで、印刷用画像ＩＭが規制に基づく所定の基準を満たしているか否か印刷前に容易に把握することが可能となる。
【００６３】
また、上記の印刷用画像判定システムＳＹＳにおいて、使用禁止規制に基づく所定の基準は、色である。これにより、使用禁止規制により使用する色が規制される場合、印刷用画像ＩＭが当該規制を満たしているか否かを容易に判定することができる。
【００６４】
また、上記の印刷用画像判定システムＳＹＳにおいて、前記使用禁止規制に基づく所定の基準は、前記色に加えて当該色が付された領域の面積である。これにより、使用禁止規制により色及び面積が規制される場合、印刷用画像が当該規制を満たしているか否かを容易に判定することができる。
【００６５】
また、本実施形態に係る印刷用画像判定システムＳＹＳにおいて、制御装置１０は、印刷用画像ＩＭが使用禁止規制に基づく所定の基準としての規制対象色を含むか否かを判定し、印刷用画像ＩＭが規制対象色を含むと判定する場合、規制対象色が付された対象領域ＩＭａについての印刷用画像ＩＭ全体に対する面積比率が所定の面積基準を満たすか否かを判定し、面積比率が所定の面積基準を満たさない場合に、印刷用画像ＩＭが所定の基準を満たしていないと判定する。これにより、印刷用画像ＩＭの色と当該色が付された対象領域ＩＭａの面積とに基づいて、印刷用画像ＩＭが所定の基準を満たしているか否かを判定することができる。これにより、例えば景観条例により使用が禁止される色等の規制対象色及び当該規制対象色が使用される面積比率等が規制されている場合、印刷用画像が当該規制を満たしているか否かを容易に判定することができる。
【００６６】
また、本実施形態に係る印刷用画像判定システムＳＹＳにおいて、制御装置１０は、印刷用画像ＩＭが所定の基準を満たしていないと判定する場合、規制対象色が付された対象領域ＩＭａを他の領域に対して強調した状態で表示装置に表示する。これにより、印刷用画像ＩＭのうち所定の基準を満たしていないと判定された対象領域ＩＭａを容易に把握することができる。
【００６７】
また、本実施形態に係る印刷用画像判定システムＳＹＳにおいて、制御装置１０は、印刷用画像ＩＭが所定の基準を満たしていないと判定する場合、規制対象色が付された対象領域ＩＭａに対して規制対象色とは異なる色の候補を前記表示装置に表示する。これにより、ユーザは、印刷用画像ＩＭのうち規制対象色が付されていると判定された対象領域ＩＭａについて、色の変更等を容易に行うことができる。
【００６８】
また、制御装置１０は、印刷用画像ＩＭが所定の基準を満たしていないと判定する場合、規制対象色が付された対象領域ＩＭａに対して規制対象色とは異なる色の候補を手動でユーザに選択させることができる。
【００６９】
図８は、色の候補をユーザに選択させる場合の表示画面の一例を示す図である。図８に示すように、制御装置１１は、判定を行った後、選択ウィンドウ７０を表示装置３０に表示させる。選択ウィンドウ７０は、第１色情報調整部７１と、第２色情報調整部７２と、色表示部７３と、判定結果表示部７４と、自動変換ボタン７５と、再計算ボタン７６と、決定ボタン７７と、キャンセルボタン７８とを有している。
【００７０】
第１色情報調整部７１及び第２色情報調整部７２は、異なる表色系に基づいて印刷用画像ＩＭの色（以下、画像色と表記する）の情報が表示され、かつ候補となる色（以下、候補色と表記する）の情報を調整可能である。
【００７１】
第１色情報調整部７１は、例えばＣＭＹＫ表色系に基づいて画像色が表示され、かつ候補色の情報を調整可能である。第１色情報調整部７１は、画像色及び候補色をＣ、Ｍ、Ｙ、Ｋに色分解した場合の各色の割合を示すゲージ７１ａ、７１ｂ、７１ｃ、７１ｄと、画像色の情報を示す変更前指示マーク７１ｅと、候補色の情報を表示する変更後指示マーク７１ｆとを有する。変更前指示マーク７１ｅ及び変更後指示マーク７１ｆは、ＣＭＹＫ表色系のＣ、Ｍ、Ｙ、Ｋの色ごとの割合を表示する。変更前指示マーク７１ｅは、例えば白三角状で表示され、位置が固定される。変更後指示マーク７１ｆは、例えば黒三角状で表示され、ユーザの操作により移動可能である。ユーザは、変更後指示マーク７１ｆを各ゲージ７１ａ〜７１ｄ内で左右に移動させることにより、Ｃ、Ｍ、Ｙ、Ｋの色ごとの割合を変更することが可能であり、これにより候補色を設定可能である。なお、図８に示すように、第１色情報調整部７１は、ゲージ７１ａ〜７１ｄに対応する位置に、画像色についての割合と、候補色についての割合とを対比して数値によって表示させてもよい。図８では、各ゲージ７１ａ〜７１ｄの右側に、「画像色の割合→候補色の割合」とする表示例が示されているが、この表示態様に限定されず、他の表示態様であってもよい。
【００７２】
第２色情報調整部７２は、例えばマンセル表色系に基づいて画像色が表示され、かつ候補色の情報を調整可能である。第２色情報調整部７２は、画像色の情報を示す変更前情報表示部７２ａと、候補色の情報を表示する変更後情報表示部７２ｂとを有する。変更前情報表示部７２ａに表示される色情報は、固定値となっている。一方、変更後情報表示部７２ｂに表示される色情報は、ユーザによって変更可能となっている。変更後情報表示部７２ｂには、色情報変更ボタン７２ｃが設けられる。ユーザは、この色情報変更ボタン７２ｃを押すように操作することにより、マンセル表色系に基づいて色情報の選択肢が表示される。ユーザは、表示された選択肢の中から色情報を選択することで、候補色を設定可能である。変更後表示部７２ｂには、設定された候補色の色情報が表示される。
【００７３】
色表示部７３は、画像色を表示する変更前色表示部７３ａと、候補色を表示する変更後色表示部７３ｂとを有する。変更前色表示部７３ａ及び変更後色表示部７３ｂに表示される画像色及び候補色をユーザが見ることにより、当該画像色と候補色とを直接的に比較することができる。
【００７４】
制御装置１０は、第１色情報調整部７１又は第２色情報調整部７２によってユーザによって設定された候補色とした場合に上記の所定の基準を満たすか否かを判定する。判定結果表示部７４は、当該制御装置１０の判定結果を表示する。例えば、所定の基準を満たすと判定された場合、判定結果表示部７４には「○」と表示される。また、所定の基準を満たさないと判定された場合、判定結果表示部７４には「×」と表示される。制御装置１０は、ユーザによる第１色情報調整部７１又は第２色情報調整部７２の操作が即座に色表示部７３及び判定結果表示部７４の表示に反映されるように、色表示処理と、上記の判定処理及び判定結果の表示処理とをリアルタイムで行ってもよい。
【００７５】
自動変換ボタン７５は、制御装置１０により自動的に候補色を選択させ、選択結果を選択ウィンドウ７０に反映させるためのボタンである。再計算ボタン７６は、ユーザが選択した選択結果を初期状態に戻すためのボタンである。決定ボタン７７は、ユーザによって選択された候補色又は自動変換ボタン７５により制御装置１０によって選択された候補色を設定するためのボタンである。キャンセルボタン７８は、選択結果をキャンセルし、選択ウィンドウ７０を閉じるためのボタンである。
【００７６】
このように、規制対象色とは異なる色の候補を手動でユーザに選択させることにより、ユーザは、色の変更等を容易かつ柔軟に行うことができる。
【００７７】
本発明の技術範囲は上記実施形態に限定されるものではなく、本発明の趣旨を逸脱しない範囲で適宜変更を加えることができる。
【符号の説明】
【００７８】
Ｐ…印刷装置、ＩＭ…印刷用画像、ＩＭａ…対象領域、ＳＹＳ…印刷用画像判定システム，判定システム、１０…制御装置、１１…制御部、１２…記憶部、１３…表色系調整部、１４…色判定部、１５…面積判定部、１６…表色系データ記憶部、１７…基準データ記憶部、１８…プログラム記憶部、２０…入力装置、２１…キーボード、２２…マウス、３０…表示装置、４０…ウィンドウ、４１…画像表示部、４２…対象地域表示部、４３…操作ボタン表示部、４３ａ，６３ａ…追加ボタン、４３ｂ…変更ボタン、４３ｃ…削除ボタン、４４…色情報表示部、４４ａ…対象色データ、４４ｂ…変換前表色系データ、４４ｃ…変換後表色系データ、４４ｄ…面積比率データ、４４ｅ…規制内容データ、４４ｆ…強調表示選択部、４５…全体情報表示部、４６…確認ボタン表示部、５０…基準データ設定ウィンドウ、５１，５２，５３…類選択部、５４…規制対象色設定部、５４ａ，５６ａ…彩度設定部、５４ｂ，５６ｂ…色相設定部、５４ｃ，５６ｃ…個別設定選択部、５５…面積比率設定部、５５ａ…設定選択部、５５ｂ…面積比率入力部、５６…禁止色設定部、６０…個別設定ウィンドウ、６１…色相選択部、６２…彩度入力部、６３…操作ボタン、６３ｂ…キャンセルボタン、７０…選択ウィンドウ、７１…第１色情報調整部、７２…第２色情報調整部、７３…色表示部、７４…判定結果表示部、７５…自動変換ボタン、７６…再計算ボタン、７７…決定ボタン、７８…キャンセルボタン
【図１】
2019186838.tif 000003
【図２】
2019186838.tif 000004
【図３】
2019186838.tif 000005
【図４】
2019186838.tif 000006
【図５】
2019186838.tif 000007
【図６】
2019186838.tif 000008
【図７】
2019186838.tif 000009
【図８】
2019186838.tif 000010